(57)【要約】  グラフ描画装置は、時間データと時間以外の特定２次元における２次元データとをそれぞれ含む複数の対象データを取得する対象データ取得部と、対象データ取得部により取得される各対象データに関し、時間データと基準時間との差分時間をそれぞれ算出する差分算出部と、各対象データに含まれる時間データが差分算出部により算出される各差分時間にそれぞれ置き換えられた複数の差分対象データを生成する差分データ生成部と、差分データ生成部により生成される各差分対象データを、時間軸と上記特定２次元の座標平面とから形成される３次元座標系における各３次元座標データにそれぞれ変換し、変換された複数の３次元座標データを表す３次元グラフの描画データを生成する描画データ生成部とを有する。
2014027432.tif 000002
【特許請求の範囲】
【請求項１】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
を備えるグラフ描画装置。
【請求項２】
前記差分算出部は、任意のタイミングで逐次到来する描画更新時において、前記基準時間を該描画更新時の時間に設定した後、前記各対象データの差分時間を逐次それぞれ算出し、
前記差分データ生成部は、前記差分算出部で逐次算出される前記各差分時間を用いて、前記複数の差分対象データを逐次生成し、
前記描画データ生成部は、前記差分データ生成部により生成される前記複数の差分対象データと前記描画更新時の時間に設定された前記基準時間とに基づいて、前記３次元グラフを変化させる描画データを生成する、
請求項１に記載のグラフ描画装置。
【請求項３】
前記対象データ取得部により取得される前記複数の対象データの元となる、複数のソースデータを取得するソースデータ取得部と、
移動対象物の地理的位置を示す測定位置データ及び該測定位置データの測定時間に対応する測定時間データを取得する測定データ取得部と、
前記ソースデータ取得部により取得される前記複数のソースデータ、前記測定位置データ及び前記測定時間データを用いて、時間データ及び地理的位置を示す位置データをそれぞれ含む複数の予測データを生成する予測データ生成部と、
を更に備え、
前記対象データ取得部は、前記予測データ生成部により生成された複数の予測データを前記複数の対象データとして取得する、
請求項１又は２に記載のグラフ描画装置。
【請求項４】
前記予測データ生成部は、前記複数のソースデータから少なくとも１つの速度を算出し、前記測定位置データ及び前記測定時間データを基準として、該少なくとも１つの速度が維持されるように、前記複数の予測データを生成する、
請求項３に記載のグラフ描画装置。
【請求項５】
前記予測データ生成部は、前記測定位置データ及び前記測定時間データの履歴から速度を算出し、前記測定位置データ及び前記測定時間データを基準として、該速度が維持されるように、前記複数の予測データを生成する、
請求項３に記載のグラフ描画装置。
【請求項６】
任意の地理的位置に任意の発生時間から任意の期間生じる特定現象を示し、該任意の期間内の時間を示す時間データ及び該特定現象の発生位置を示す位置データをそれぞれ含む複数の現象データを取得する現象取得部、
を更に備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成する、
請求項１から５のいずれか１項に記載のグラフ描画装置。
【請求項７】
前記対象データ取得部により取得される前記複数の対象データの元となる、複数のソースデータを取得するソースデータ取得部と、
前記ソースデータ取得部により取得される前記複数のソースデータ及び前記現象取得部により取得される前記複数の現象データを用いて、時間データ及び地理的位置を示す位置データをそれぞれ含む複数の予測データを生成する予測データ生成部と、
を更に備え、
前記対象データ取得部は、前記予測データ生成部により生成される前記複数の予測データを前記複数の対象データとして取得する、
請求項６に記載のグラフ描画装置。
【請求項８】
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出する比較部、
を更に備え、
前記描画データ生成部は、前記差分対象データの３次元座標データ間を結ぶ描画要素が、前記距離及び前記時間差の少なくとも一方に応じて段階的に変色された、前記３次元グラフの描画データを生成する、
請求項６又は７に記載のグラフ描画装置。
【請求項９】
前記対象データ取得部は、第１移動対象物及び第２移動対象物の各々について、前記複数の対象データをそれぞれ取得し、
前記グラフ描画装置は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する比較部、
を更に備え、
前記描画データ生成部は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
請求項６から８のいずれか１項に記載のグラフ描画装置。
【請求項１０】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成する、
ことを含むグラフ描画方法。
【請求項１１】
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、
請求項１０に記載のグラフ描画方法。
【請求項１２】
前記複数の対象データの元となる、複数のソースデータを取得し、
移動対象物の地理的位置を示す測定位置データ及び該測定位置データの測定時間に対応する測定時間データを取得し、
前記複数のソースデータ、前記測定位置データ及び前記測定時間データを用いて、時間データ及び地理的位置を示す位置データをそれぞれ含む複数の予測データを生成する、
ことを更に含み、
前記対象データの取得は、前記複数の予測データを前記複数の対象データとして取得する、
請求項１０又は１１に記載のグラフ描画方法。
【請求項１３】
前記予測データの生成は、
前記複数のソースデータから少なくとも１つの速度を算出することを含み、
前記測定位置データ及び前記測定時間データを基準として、該少なくとも１つの速度が維持されるように、前記複数の予測データを生成する、
請求項１２に記載のグラフ描画方法。
【請求項１４】
前記予測データの生成は、
前記測定位置データ及び前記測定時間データの履歴から速度を算出することを含み、
前記測定位置データ及び前記測定時間データを基準として、該速度が維持されるように、前記複数の予測データを生成する、
請求項１２に記載のグラフ描画方法。
【請求項１５】
任意の地理的位置に任意の発生時間から任意の期間生じる特定現象を示し、該任意の期間内の時間を示す時間データ及び該特定現象の発生位置を示す位置データをそれぞれ含む複数の現象データを取得する、
ことを更に含み、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、
請求項１０から１４のいずれか１項に記載のグラフ描画方法。
【請求項１６】
前記複数の対象データの元となる、複数のソースデータを取得し、
前記複数のソースデータ及び前記複数の現象データを用いて、時間データ及び地理的位置を示す位置データをそれぞれ含む複数の予測データを生成する、
ことを更に含み、
前記対象データの取得は、前記複数の予測データを前記複数の対象データとして取得する、
請求項１５に記載のグラフ描画方法。
【請求項１７】
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出する、
ことを更に含み、
前記描画データの生成は、前記差分対象データの３次元座標データ間を結ぶ描画要素が、前記距離及び前記時間差の少なくとも一方に応じて段階的に変色された、前記３次元グラフの描画データを生成する、
請求項１５又は１６に記載のグラフ描画方法。
【請求項１８】
前記対象データの取得は、第１移動対象物及び第２移動対象物の各々について、前記複数の対象データをそれぞれ取得し、
前記グラフ描画方法は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する、
ことを更に含み、
前記描画データの生成は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
請求項１５から１７のいずれか１項に記載のグラフ描画方法。
【請求項１９】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成する、
ことを含むプログラム。
【発明の詳細な説明】
【技術分野】
【０００１】
本発明は、３次元グラフの描画技術に関する。
【背景技術】
【０００２】
情報通信、センシング技術等の発達に伴い、様々な情報（データ）が爆発的に増え続けている。このような大量の情報は、関連し合う情報が複雑に絡み合って構成されている。このような大量の情報はビックデータとも呼ばれる。現在、ビックデータを有効に活用する技術が注目されている。【０００３】
ビックデータを扱う業務分野は特定分野に限られない。特に、ミッションクリティカル（ＭＣ）な業務分野においては、ビックデータの有効活用は一層有効であると考えられる。例えば、ＭＣ業務としての航空交通管制（以降、航空管制と表記する）では、複数の航空機に関し、現在位置、高度、進行方向、対地速度、気象情報等のような様々な情報が収集され、用いられる。そこで、下記特許文献１には、ビックデータを扱う航空管制において、航空機の飛行状況を視覚的に把握できるようにする手法が提案されている。具体的には、この手法は、地形、及び、航空機の飛行位置（位置及び高度）を３次元表示し、隣接する２機の航空機間距離が所定閾値よりも小さい場合に要監視マークを３次元的に表示する。
【先行技術文献】
【特許文献】
【０００４】
【特許文献１】特開２００３−１３２４９９号公報
【発明の概要】
【発明が解決しようとする課題】
【０００５】
しかしながら、上記特許文献１の提案手法では、航空管制官にとって、各航空機の今後の飛行状況をそれぞれ把握することは難しい。近年、危険の少ないルート、揺れの少ないルート、燃費の良いルート等を柔軟に選びたいという航空会社の要求等により、固定的ではなく、柔軟に航空路が選択されるようになってきている。これにより、柔軟に航空路を選択する各航空機を安全に交通整理するために、航空管制の業務負担が増大している。即ち、航空管制業務において、或る時点での各航空機の飛行状況の把握のみでは、足りなくなってきている。このように、現状、経時変化を伴うビックデータを直感的に分かり易く表示する手法は、存在しない。【０００６】
本発明は、このような事情に鑑みてなされたものであり、経時変化を伴うデータを直感的に分かり易く表示する技術を提供する。
【課題を解決するための手段】
【０００７】
本発明の各態様では、上述した課題を解決するために、それぞれ以下の構成を採用する。【０００８】
第１の態様に係るグラフ描画装置は、時間データと時間以外の特定２次元における２次元データとをそれぞれ含む複数の対象データを取得する対象データ取得部と、対象データ取得部により取得される各対象データに関し、時間データと基準時間との差分時間をそれぞれ算出する差分算出部と、各対象データに含まれる時間データが差分算出部により算出される各差分時間にそれぞれ置き換えられた複数の差分対象データを生成する差分データ生成部と、差分データ生成部により生成される各差分対象データを、時間軸と上記特定２次元の座標平面とから形成される３次元座標系における各３次元座標データにそれぞれ変換し、変換された複数の３次元座標データを表す３次元グラフの描画データを生成する描画データ生成部とを有する。【０００９】
第２の態様に係るグラフ描画方法は、時間データと時間以外の特定２次元における２次元データとをそれぞれ含む複数の対象データを取得し、各対象データに関し、時間データと基準時間との差分時間をそれぞれ算出し、各対象データに含まれる時間データが各差分時間にそれぞれ置き換えられた複数の差分対象データを生成し、各差分対象データを、時間軸と上記特定２次元の座標平面とから形成される３次元座標系における各３次元座標データにそれぞれ変換し、変換された複数の３次元座標データを表す３次元グラフの描画データを生成することを含む。【００１０】
本開示の他の態様としては、第１の態様における各構成をコンピュータに実現させるプログラムであってもよいし、このようなプログラムを記録したコンピュータが読み取り可能な記録媒体であってもよい。この記録媒体は、非一時的な有形の媒体を含む。
【発明の効果】
【００１１】
上記各態様によれば、経時変化を伴うデータを直感的に分かり易く表示する技術を提供することができる。
【図面の簡単な説明】
【００１２】
上述した目的、およびその他の目的、特徴および利点は、以下に述べる好適な実施形態、およびそれに付随する以下の図面によってさらに明らかになる。【００１３】
【図１】第１実施形態における航空管制支援装置のハードウェア構成例を概念的に示す図である。
【図２】第１実施形態における航空管制支援装置の処理構成例を概念的に示す図である。
【図３】３次元グラフの例を示す図である。
【図４】第１実施形態における航空管制支援装置の動作例を示すフローチャートである。
【図５】４つの基準時間における３次元グラフの変化の例を示す図である。
【図６】第２実施形態における航空管制支援装置の処理構成例を概念的に示す図である。
【図７】３次元グラフの元となる対象データ（予測データ）の生成に関する第２実施形態における航空管制支援装置の動作例を示すフローチャートである。
【図８】同じ基準時間で表示され得る３次元グラフの３つの形態を示す図である。
【図９】第３実施形態における航空管制支援装置の処理構成例を概念的に示す図である。
【図１０】第３実施形態における航空管制支援装置の動作例を示すフローチャートである。
【図１１】第３実施形態において表示される３次元グラフの例を示す図である。
【図１２】３次元グラフの元となる対象データ（予測データ）の生成に関する第３実施形態における航空管制支援装置の動作例を示すフローチャートである。
【図１３】第４実施形態における航空管制支援装置の処理構成例を概念的に示す図である。
【図１４Ａ】第４実施形態において表示される３次元グラフの例をそれぞれ示す図である。
【図１４Ｂ】第４実施形態において表示される３次元グラフの例をそれぞれ示す図である。
【図１５】自動車のナビゲーションシステムへの適用例を示す図である。
【発明を実施するための形態】
【００１４】
以下、本発明の実施の形態について説明する。なお、以下に挙げる各実施形態はそれぞれ例示であり、本発明は以下の各実施形態の構成に限定されない。
【００１５】
本実施形態に係るグラフ描画装置は、時間データと時間以外の特定２次元における２次元データとをそれぞれ含む複数の対象データを取得する対象データ取得部と、対象データ取得部により取得される各対象データに関し、時間データと基準時間との差分時間をそれぞれ算出する差分算出部と、各対象データに含まれる時間データが差分算出部により算出される各差分時間にそれぞれ置き換えられた複数の差分対象データを生成する差分データ生成部と、差分データ生成部により生成される各差分対象データを、時間軸と上記特定２次元の座標平面とから形成される３次元座標系における各３次元座標データにそれぞれ変換し、変換された複数の３次元座標データを表す３次元グラフの描画データを生成する描画データ生成部とを有する。
【００１６】
本実施形態に係るグラフ描画方法は、時間データと時間以外の特定２次元における２次元データとをそれぞれ含む複数の対象データを取得し、各対象データに関し、時間データと基準時間との差分時間をそれぞれ算出し、各対象データに含まれる時間データが各差分時間にそれぞれ置き換えられた複数の差分対象データを生成し、各差分対象データを、時間軸と上記特定２次元の座標平面とから形成される３次元座標系における各３次元座標データにそれぞれ変換し、変換された複数の３次元座標データを表す３次元グラフの描画データを生成することを含む。
【００１７】
本実施形態では、複数の対象データが取得される。この複数の対象データの各々は、時間データと時間以外の特定２次元における２次元データとをそれぞれ含む。ここで、時間データとは、或る時点を所定の時間単位で示すためのデータである。本実施形態は、時間データが示す時間単位を制限しないため、時間データは、例えば、秒単位、分（ｍｉｎｕｔｅ）単位、時間（ｈｏｕｒ）単位、日（ｄａｙ）単位などで示される。特定２次元における２次元データとは、時間要素を含まず、２つの要素で形成されるデータである。２次元データとしては、例えば、或る平面領域上の位置を示す位置データや、株価と総取引額とからなるトレーディングデータなどがある。本実施形態は、当該複数の対象データが時間経過に応じて変化するデータを示すのであれば、その対象データに含まれる２次元データを制限しない。
【００１８】
上述の本実施形態では、複数の対象データが取得され、この複数の対象データから複数の差分対象データが生成される。各差分対象データは、各対象データの２次元データと、各対象データの時間データと基準時間との差分時間とをそれぞれ含む。この差分時間は、時間データが示す時点と基準時間が示す時点との間の時間の長さを示す。ここで、基準時間とは、差分時間を得るための基準となる時間データを意味し、対象データに含まれる時間データと同じ時間単位で示される。基準時間には、描画更新時の時間が設定されてもよいし、ユーザが望む任意の時間が設定されてもよい。そして、本実施形態では、複数の差分対象データから変換された複数の３次元座標データを表す３次元グラフの描画データが生成される。これにより、描画される３次元グラフは、時間軸と時間以外の２軸とを含む３次元座標系を持つ。
【００１９】
従って、本実施形態によれば、取得される対象データに関する、任意の時点を基準とする差分時間とそれに対応する当該特定２次元で示される或る情報との対応関係を、３次元グラフとして表すことができる。この３次元グラフは、例えば、現時点（描画更新時点）から数時間後の或る情報、現時点から数時間前の或る情報を視覚的に表すものであり、当該対象データは、時間に応じて当該特定２次元で示される或る情報が変化するデータ、即ち、経時変化を伴うデータである。よって、この３次元グラフによれば、経時変化を伴うデータをユーザにとって直感的に分かり易く表示することができる。
【００２０】
以下、上述の実施形態について更に詳細を説明する。以下の各実施形態は、上述のグラフ描画装置の構成及びグラフ描画方法を航空管制支援装置に適用した場合の例である。なお、上述の実施形態の構成は、航空管制支援装置への適用に限定されるものではなく、経時変化を伴うデータを扱う様々な態様に適用可能である。
【００２１】
［第１実施形態］
〔装置構成〕
図１は、第１実施形態における航空管制支援装置（以降、支援装置と略称する）１０のハードウェア構成例を概念的に示す図である。第１実施形態における支援装置１０は、いわゆるコンピュータであり、例えば、バス５で相互に接続される、ＣＰＵ（Central Processing Unit）２、メモリ３、入出力インタフェース（Ｉ／Ｆ）４等を有する。メモリ３は、ＲＡＭ（Random Access Memory）、ＲＯＭ（Read Only Memory）、ハードディスク、可搬型記憶媒体等である。
【００２２】
入出力Ｉ／Ｆ４は、表示装置６、入力装置７、通信装置８等と接続される。表示装置６は、ＬＣＤ（Liquid Crystal Display）やＣＲＴ（Cathode Ray Tube）ディスプレイ等のような、ＣＰＵ２やＧＰＵ（Graphics Processing Unit）（図示せず）等により処理された描画データに対応する画面を表示する装置である。入力装置７は、キーボード、マウス等のようなユーザ操作の入力を受け付ける装置である。通信装置８は、ネットワーク（図示せず）を介して他のコンピュータや機器と通信を行う。なお、支援装置１０のハードウェア構成は制限されない。
【００２３】
図２は、第１実施形態における支援装置１０の処理構成例を概念的に示す図である。第１実施形態における支援装置１０は、対象データ取得部１１、差分算出部１２、差分データ生成部１３、描画データ生成部１４、描画処理部１５等を有する。これら各処理部は、例えば、ＣＰＵ２によりメモリ３に格納されるプログラムが実行されることにより実現される。また、当該プログラムは、例えば、ＣＤ（Compact Disc）、メモリカード等のような可搬型記録媒体やネットワーク上の他のコンピュータから入出力Ｉ／Ｆ４を介してインストールされ、メモリ３に格納されてもよい。
【００２４】
第１実施形態では、対象データ取得部１１は、支援装置１０の処理により描画される３次元グラフの元となる複数の対象データとして、少なくとも１つの航空機便（以降、単に航空機と表記する場合もある）に関する複数のフライトスケジュールデータを取得する。ここで用いるフライトスケジュールデータとは、１航空機便が、航空路上の或る１つの地理的位置に到達する時間（例えば時刻）を意味するものとする。よって、各フライトスケジュールデータには、或る１航空機便に関する、航空路上の地理的位置を示す１つの位置データと、その位置にその航空機便が到達する時間を示す１つの時間データとが含まれる。フライトスケジュールデータは、入力画面等に基づいて入力装置７をユーザが操作することにより入力されてもよいし、航空交通計画システム等の他のコンピュータから取得されてもよいし、可搬型記録媒体から取得されてもよい。
【００２５】
このように、第１実施形態では、特定２次元の２次元データとして、地理的位置を示す位置データが利用される。第１実施形態において、位置データとは、地理的位置、即ち、高度情報を除く地平面の位置を示す情報を意味する。位置データは、例えば、緯度情報及び経度情報の２次元データとして実現される。このように、位置を示す用語として、高度と、地理的位置とが区別されて用いられる。
【００２６】
差分算出部１２、差分データ生成部１３及び描画データ生成部１４は、このような対象データに関し、上述の実施形態と同様にそれぞれ処理を行う。但し、第１実施形態では、差分算出部１２は、任意のタイミングで逐次到来する描画更新時において、当該基準時間をその描画更新時の時間に設定した後、各対象データの差分時間を逐次それぞれ算出する。任意のタイミングとは、所定の周期であってもよいし、ユーザが入力装置７を用いて指示をするタイミングであってもよい。差分データ生成部１３は、差分算出部１２で逐次算出される各差分時間を用いて、複数の差分対象データを逐次生成し、描画データ生成部１４は、差分データ生成部１３により生成される複数の差分対象データと描画更新時の時間に設定された基準時間とに基づいて、３次元グラフを変化させる描画データを生成する。３次元グラフを変化させる描画データは、描画更新時毎に描画データを独自にそれぞれ生成することで実現されてもよいし、変化分の描画データのみを生成することで実現されてもよい。
【００２７】
描画処理部１５は、描画データ生成部１４により生成される描画データに基づいて、表示装置６に当該３次元グラフを表示させる。描画処理部１５は、ＣＰＵ２内又はＣＰＵ２外に設けられる３Ｄグラフィックアクセラレータにより実現されてもよい。
【００２８】
図３は、３次元グラフの例を示す図である。図３の例によれば、１つの航空機便の航空路が、経度、緯度及び時間の３軸で表示される。時間軸は、図面上縦方向に示され、基準時間（差分時間ゼロ，図面のＮＯＷ）の座標平面に地図画像が表わされている。また、出発地と到着地とに、時間軸を表す柱状のグラフ要素Ｇ１及びＧ２が表示され、このグラフ要素Ｇ１及びＧ２は、時間軸上の所定の時間毎に（２時間毎に）色分けされている。また、３次元グラフを形成する複数の３次元座標データは、隣接データ間を滑らかに繋ぐリボン状のグラフ要素Ｇ３により表わされており、時間軸の大きさに応じてそのリボン状のグラフ要素に色が付されている。なお、本実施形態で表示される３次元グラフは、図３に示される形態に制限されない。このように、この３次元グラフによれば、基準時間（例えば、現時点（描画更新時点））からの経過時間に応じたその航空機便の地理的位置を一目で把握させることができる。
【００２９】
図３の例のように、地平面に対応する座標平面に地図画像を表示する場合には、支援装置１０は、地図画像を予め持ち、この地図画像と位置データとをマッピングさせればよい。なお、地図画像と位置データとのマッピングには、カーナビゲーションシステム等で用いられている周知の技術が利用されればよいため、ここでは説明を省略する。また、図３の例では、基準時間（図面のＮＯＷ）以降のデータが表示されるが、基準時間より過去のデータが表示されるようにしてもよい。
【００３０】
〔動作例〕
以下、第１実施形態におけるグラフ描画方法について図４を用いて説明する。図４は、第１実施形態における支援装置１０の動作例を示すフローチャートである。
【００３１】
支援装置１０は、まず、グラフ描画のための対象データとして、少なくとも１つの航空機便に関する複数のフライトスケジュールデータを取得する（Ｓ４０）。
【００３２】
支援装置１０は、基準時間を現時点（描画更新時）の時間に設定する（Ｓ４１）。続いて、支援装置１０は、各対象データに関し、時間データとその基準時間との差分時間をそれぞれ算出する（Ｓ４２）。例えば、或る１つの対象データの時間データが「２０１２年６月２７日１５時２０分」を示し、基準時間が「２０１２年６月２７日１０時５０分」を示す場合、支援装置１０は、その対象データに関し、差分時間として４時間３０分を算出する。
【００３３】
支援装置１０は、各対象データに含まれる時間データが各差分時間にそれぞれ置き換えられた複数の差分対象データを生成する（Ｓ４３）。例えば、位置データが「沖縄」を示し、時間データが「２０１２年６月２７日１５時２０分」を示す対象データに関し、差分時間「４時間３０分」が算出された場合には、支援装置１０は、位置データが「沖縄」を示し、差分時間が「４時間３０分」を示す差分対象データを生成する。
【００３４】
支援装置１０は、各差分対象データを、時間軸と地平面に対応する座標平面とから形成される３次元座標系における各３次元座標データにそれぞれ変換し（Ｓ４４）、変換された複数の３次元座標データを表す３次元グラフの描画データを生成する（Ｓ４５）。
【００３５】
支援装置１０は、その描画データに基づいて３次元グラフを表示装置６に表示させる（Ｓ４６）。結果、図３の例のような３次元グラフが表示される。以降、支援装置１０は、描画更新タイミングが到来する度に（Ｓ４７）、上述の工程（Ｓ４１）以降を実行する。
【００３６】
〔第１実施形態における作用及び効果〕
第１実施形態では、少なくとも１つの航空機便に関する複数のフライトスケジュールデータが取得され、各航空機便に関し、任意の時点を基準とする差分時間とそれに対応する地理的位置との対応関係が、３次元グラフとして表示される。この３次元グラフは、任意の基準時間から数時間後の地理的位置、任意の基準時間から数時間前の地理的位置を視覚的に表す。これにより、表示された３次元グラフを見たユーザ（航空管制官）は、各航空機が基準時間から何時間後にどこを飛行しているかということを直感的に視認することができる。このように、第１実施形態によれば、各航空機便に関する複数のデータを用いて、過去及び今後の各航空機便の航空路を直感的に分かり易く表示させることができる。
【００３７】
また、第１実施形態では、当該３次元グラフにおける地平面に対応する座標平面に地図画像が重ねられた描画データが生成されてもよい。このようにすれば、地理的位置も直感的に分かり易く表示させることができる。
【００３８】
図３の例では、１つの航空機便に関するデータのみ表示されるが、複数の航空機便に関するデータが表示されてもよい。この場合には、地平面に対応する座標平面上の或る地点における、航空機間の時間軸上の差がユーザ（航空管制官）にとって容易に視認可能となる。時間軸上の差は、その地点に到達する各航空機便の時間差に対応するため、その近さは、航空機間の接近度合いを示す。従って、航空管制官は、当該３次元グラフを見ることにより、今後の或る地点での各航空機便の危険度を容易に予測することができる。
【００３９】
更に、第１実施形態では、逐次到来する描画更新時に応じて、差分算出部１２、差分データ生成部１３、描画データ生成部１４及び描画処理部１５が動作することにより、当該３次元グラフが変化する。
【００４０】
図５は、４つの基準時間における３次元グラフの変化の例を示す図である。図５は、基準時間が、逐次到来する描画更新時の時間に設定された場合を例示する。図５の例によれば、時間の経過に応じて、リボン状のグラフ要素Ｇ３が時間軸のマイナス方向（過去方向）に移動する。これにより、当該グラフ要素Ｇ３は、各描画更新時における航空機の位置が出発地から目的地の方向に近づくように表示される。また、図５の例では、描画更新時よりも前（過去）のデータは表示されておらず、差分時間ゼロを示す座標平面に地図画像が表わされているため、描画更新時での航空機便の位置をユーザに容易に把握させることができる。
【００４１】
なお、上述の第１実施形態では、３次元グラフの３次元座標系に、航空機の高度を示す軸を含めていない。これは、航空機の高度は予め或る程度決まっていることから、航空管制官にとって、高度情報の把握の容易性は、時間軸のそれよりも重要性が低いと考えられるからである。
【００４２】
［第２実施形態］
上述の第１実施形態では、少なくとも１つの航空機便に関する複数のフライトスケジュールデータを対象データとして３次元グラフの描画データが生成されたが、第２実施形態では、航空機便に関する実測データが反映されたフライトスケジュールデータが対象データとされる。航空機のＧＰＳ（Global Positioning System）性能の向上等から、近年、各航空機の飛行位置が正確に測定可能となった。よって、測定された航空機の位置データの有効利用は、航空管制業務においても重要となり得る。以下、第２実施形態における支援装置１０について、第１実施形態と異なる内容を中心説明する。以下の説明では、第１実施形態と同様の内容については適宜省略する。
【００４３】
〔装置構成〕
図６は、第２実施形態における支援装置１０の処理構成例を概念的に示す図である。第２実施形態における支援装置１０は、第１実施形態の構成に加えて、計画データ取得部２１、計画データ格納部２２、測定データ取得部２３、予測データ生成部２４、予測データ格納部２５を更に有する。これら各処理部は、例えば、ＣＰＵ２によりメモリ３に格納されるプログラムが実行されることにより実現される。
【００４４】
計画データ取得部２１は、上述の第１実施形態において対象データ取得部１１により取得されるデータ、即ち、少なくとも１つの航空機便に関する複数のフライトスケジュールデータを取得する。計画データ取得部２１は、取得された複数のフライトスケジュールデータを計画データ格納部２２に格納する。計画データ取得部２１により取得されるデータは、支援装置１０の処理により描画される３次元グラフの元となるため、ソースデータと呼ぶこともできる。よって、計画データ取得部２１は、ソースデータ取得部と呼ぶこともできる。
【００４５】
計画データ格納部２２は、計画データ取得部２１により取得された、各航空機便に関する複数のフライトスケジュールデータ（複数のソースデータ）をそれぞれ格納する。
【００４６】
測定データ取得部２３は、管制対象となる各航空機に関し、レーダ装置（図示せず）等により測定された地理的位置データと、その地理的位置データの測定時間に対応する測定時間データをそれぞれ取得する。測定データ取得部２３により取得される地理的位置データは、以降、測定位置データと表記される。測定位置データは、任意のタイミングで、測定データ取得部２３により自発的に取得されてもよいし、測定装置から送り届けられてもよい。
【００４７】
予測データ生成部２４は、測定データ取得部２３により取得された測定位置データ及び測定時間データ、並びに、計画データ取得部２１により取得された複数のフライトスケジュールデータを用いて、少なくとも１つの航空機便に関し、時間データ及び地理的位置を示す位置データをそれぞれ含む複数の予測データを生成する。生成される複数の予測データは、計画データ取得部２１により取得された各航空機便に関する複数のフライトスケジュールデータが、各航空機便に関し測定データ取得部２３により取得された測定位置データ及び測定時間データに基づいて修正されることにより得られるデータである。例えば、測定データ取得部２３により取得されるデータと計画データ取得部２１により取得されるデータとは、各航空機便を特定するためのＩＤにより紐付けられる。この場合、測定データ取得部２３及び計画データ取得部２１は、このＩＤと共に、各データをそれぞれ取得する。
【００４８】
例えば、予測データ生成部２４は、測定データ取得部２３により取得された測定位置データ及び測定時間データに対応する航空機に関する複数のソースデータを計画データ格納部２２から抽出し、この抽出された複数のソースデータから、少なくとも１つの飛行速度を算出し、当該測定位置データ及び当該測定時間データを基準として、その算出された少なくとも１つの飛行速度が維持されるように、当該複数の予測データを生成する。この手法によれば、例え、測定位置データ及び測定時間データが航空機の遅れを示していたとしても、計画データ取得部２１により取得されたフライトスケジュールデータに対応する飛行速度が維持されるとの仮定に基づいて、新たなフライトスケジュールデータが再計算され、これが予測データとして生成される。
【００４９】
また、予測データ生成部２４は、各航空機便に関し測定位置データ及び測定時間データの履歴をそれぞれ保持し、この履歴から飛行速度を算出し、測定位置データ及び測定時間データを基準として、その算出された飛行速度が維持されるように、複数の予測データを生成してもよい。この手法によれば、測定位置データ及び測定時間データが航空機の遅れを示していた場合には、その遅れに対応する飛行速度が算出されるため、実際の速度に近似する速度に基づいて、新たなフライトスケジュールデータが再計算され、これが予測データとして生成される。
【００５０】
予測データ格納部２５は、予測データ生成部２４により生成された、少なくとも１つの航空機便に関する複数の予測データを格納する。予測データ格納部２５は、当該予測データの初期値として、その航空機に関するソースデータを格納する。
【００５１】
対象データ取得部１１は、予測データ格納部２５に格納される複数の予測データを、グラフ描画のための対象データとして取得する。
【００５２】
〔動作例〕
以下、第２実施形態におけるグラフ描画方法について説明する。第２実施形態では、グラフ描画のための対象データとして、予測データ格納部２５に格納される複数の予測データが取得される。第２実施形態におけるグラフ描画方法は、描画更新タイミングが来る度に対象データが取得される点以外、第１実施形態と同様である（図４参照）。
【００５３】
図７は、３次元グラフの元となる対象データ（予測データ）の生成に関する第２実施形態における支援装置１０の動作例を示すフローチャートである。支援装置１０は、少なくとも１つの航空機便に関する複数のフライトスケジュールデータを取得し（Ｓ７１）、これを計画データ格納部２２に格納する（Ｓ７２）。
【００５４】
その後、支援装置１０は、自発的又は非自発的に、任意のタイミングで、或る航空機に関する測定データ（測定位置データ及び測定時間データ）を取得する（Ｓ７３）。支援装置１０は、測定データを取得すると（Ｓ７３；ＹＥＳ）、その測定データに対応する航空機のソースデータを計画データ格納部２２から抽出する（Ｓ７４）。
【００５５】
支援装置１０は、抽出されたソースデータ、及び、取得された測定データに基づいて、その測定データに対応する航空機の予測データを生成する（Ｓ７５）。この予測データは、上述したように、ソースデータから得られる飛行速度、又は、測定データの履歴から得られる飛行速度に基づいて、ソースデータが修正されることにより生成される。
【００５６】
支援装置１０は、生成された予測データを予測データ格納部２５に格納する（Ｓ７６）。以降、支援装置１０は、新たな測定データが取得される度に（Ｓ７３；ＹＥＳ）、上述の各工程を実施する。
【００５７】
図８は、同じ基準時間で表示され得る３次元グラフの３つの形態を示す図である。例えば、支援装置１０は、或る基準時間において、図８の例に示される３つの形態の中の１つの形態を持つ３次元グラフを表示する。
【００５８】
グラフ要素Ｇ３−１は、ソースデータのまま更新されなかった予測データに対応し、グラフ要素Ｇ３−２は、ソースデータから得られる飛行速度に応じて生成された予測データに対応し、グラフ要素Ｇ３−３は、測定データの履歴から得られる飛行速度に応じて生成された予測データに対応する。これにより、グラフ要素Ｇ３−２及びＧ３−３の位置がグラフ要素Ｇ３−１の位置よりも出発地に近いことから、図８の例は、対象の航空機便がソースデータで予定されたフライトスケジュールよりも遅れている様子を示している。また、グラフ要素Ｇ３−３は、その遅れに対応する飛行速度から生成された予測データに対応するため、到着地におけるグラフ要素Ｇ３−３の差分時間がグラフ要素Ｇ３−２のそれよりも大きくなっている。
【００５９】
〔第２実施形態の作用及び効果〕
第２実施形態では、航空機の実際の位置が任意のタイミングで測定され、その航空機に関するフライトスケジュールデータ（ソースデータ）、測定位置データ及び測定時間データに基づいて、予測データが生成される。そして、この予測データに基づいて、各航空機便に関し、任意の時点を基準とする差分時間とそれに対応する地理的位置との対応関係が３次元グラフとして表示される。
【００６０】
これにより、第２実施形態によれば、実際の航空機の位置が反映された今後の各航空機便のフライトスケジュールを直感的に分かり易く表示させることができる。結果、航空管制官は、当初の予定からの遅れに応じて、今後の或る地点における航空機間の接近等の危険を容易にかつ直ちに把握することができ、ひいては、適切な航空管制を行うことが出来る。
【００６１】
［第３実施形態］
気象状況は航空路に大きく影響する。また、気象観測技術及び気象予報技術が向上している。そこで、第３実施形態では、観測された気象情報及び気象予報の情報を更に反映させた対象データが利用される。以下、第３実施形態における支援装置１０について、第１実施形態及び第２実施形態と異なる内容を中心説明する。以下の説明では、第１実施形態及び第２実施形態と同様の内容については適宜省略する。
【００６２】
図９は、第３実施形態における支援装置１０の処理構成例を概念的に示す図である。第３実施形態における支援装置１０は、第２実施形態の構成に加えて、現象取得部３１を更に有する。現象取得部３１は、例えば、ＣＰＵ２によりメモリ３に格納されるプログラムが実行されることにより実現される。
【００６３】
現象取得部３１は、任意の地理的位置に任意の発生時間から任意の期間生じる特定現象を示し、当該期間内の時間を示す時間データ及びその特定現象の発生位置を示す位置データをそれぞれ含む複数の現象データを取得する。第３実施形態では、台風、乱気流等のような航空機の航空路に影響を及ぼし得る気象要素に関する現象データが取得される。現象取得部３１で取得される現象データには、或る気象要素に関し実際に観測された気象情報及び予測される気象予報情報が含まれる。また、当該気象要素は、或る程度広い範囲で生じるため、現象データに含まれる位置データは、その範囲を特定し得るデータとなる。現象取得部３１は、取得された現象データを現象データ格納部３２に格納する。
【００６４】
予測データ生成部２４は、予測データを生成するにあたり、測定データ取得部２３により取得される測定データに加えて、現象データ格納部３２に格納される現象データを更に考慮する。具体的には、予測データ生成部２４は、現象データが示す或る時間の地理的領域と、当該測定データ及びソースデータから生成される予測データが示す或る時間の地理的位置とが重なる場合に、時間及び地理的位置が現象データのそれと重なる予測データ、及び、その予測データが示す時間以降の時間を示す予測データを修正する。以降、予測データが示す時間及び地理的位置と、現象データが示す時間及び地理的領域とが重複することを、予測データと現象データとの重複と表記する場合もある。
【００６５】
予測データ生成部２４は、現象データが示す地理的領域を飛行する間、その航空機の飛行速度が変化するように、予測データの時間データを修正する。乱気流等の気象条件では、飛行速度が遅くなり、ジェット気流の向きによっては飛行速度が速くなる可能性がある。予測データ生成部２４は、現象データが示す気象条件に応じて、航空機の飛行速度を変化させる。予測データ生成部２４は、現象データが示す地理的領域を避けるように、予測データの位置データを修正するようにしてもよい。予測データ生成部２４は、現象データが更に加味された予測データを予測データ格納部２５に格納する。
【００６６】
対象データ取得部１１は、対象データに加えて、現象データ格納部３２から現象データを更に取得する。
【００６７】
差分算出部１２は、現象取得部３１により取得された各現象データに関し、時間データと基準時間との差分時間をそれぞれ更に算出する。
【００６８】
差分データ生成部１３は、各現象データに含まれる時間データが差分算出部１２により算出された各差分時間にそれぞれ置き換えられた複数の差分現象データを更に生成する。
【００６９】
描画データ生成部１４は、各差分現象データを当該３次元座標系における各３次元座標データにそれぞれ変換し、複数の差分現象データが変換された複数の３次元座標データを更に表す３次元グラフの描画データを生成する。
【００７０】
〔動作例〕
以下、第３実施形態におけるグラフ描画方法について図１０及び図１１を用いて説明する。図１０は、第３実施形態における支援装置１０の動作例を示すフローチャートである。支援装置１０は、まず、基準時間を現時点（描画更新時）の時間に設定する（Ｓ１００）。工程（Ｓ１０１）から工程（Ｓ１０４）は、図４における工程（Ｓ４０）、工程（Ｓ４２）から工程（Ｓ４４）と同様であるため、ここでは説明を省略する。
【００７１】
支援装置１０は、現象データ格納部３２から複数の現象データを取得する（Ｓ１０５）。
支援装置１０は、取得された各現象データに関し、時間データと当該基準時間との差分時間をそれぞれ算出する（Ｓ１０６）。
【００７２】
支援装置１０は、各現象データに含まれる時間データが、工程（Ｓ１０６）で算出された各差分時間にそれぞれ置き換えられた複数の差分現象データを生成する（Ｓ１０７）。
支援装置１０は、各差分現象データを当該３次元座標系における各３次元座標データにそれぞれ変換する（Ｓ１０８）。
【００７３】
なお、図１０は、対象データに対する処理工程（Ｓ１０１からＳ１０４）と、現象データに対する処理工程（Ｓ１０５からＳ１０８）とが並列に実行される例を示すが、それら各処理工程はシーケンシャルに実行されてもよい。
【００７４】
支援装置１０は、複数の差分対象データが変換された複数の３次元座標データと、複数の差分現象データが変換された複数の３次元座標データとを表す３次元グラフの描画データを生成する（Ｓ１０９）。
【００７５】
支援装置１０は、その描画データに基づいて３次元グラフを表示装置６に表示させる（Ｓ１１０）。結果、図１１の例のような３次元グラフが表示される。以降、支援装置１０は、描画更新タイミングが到来する度に（Ｓ１１１）、上述の各工程をそれぞれ実行する。
【００７６】
図１１は、第３実施形態において表示される３次元グラフの例を示す図である。図１１の例では、上述の各実施形態で示されたグラフ要素Ｇ１、Ｇ２及びＧ３に加えて、気象要素を示す現象データに対応するグラフ要素Ｇ５が更に表されている。グラフ要素Ｇ５で示される気象要素は、図１１で示される地理的領域に、或る基準時間（図１１に示されるＮＯＷ）から約９時間後まで存在すると予報されたものである。
【００７７】
更に、グラフ要素Ｇ５が示す気象要素の地理的領域と、グラフ要素Ｇ３が示す航空機便の航空路（地理的位置）とが重なる部分が存在し、その重複部分において、グラフ要素Ｇ３の傾きが大きくなっている。これは、その気象要素によりその航空機便の飛行速度が遅くなると予想され、その飛行速度に応じて、グラフ要素Ｇ３に対応する予測データが修正されたことを示す。なお、点線で示されるＧ３'は、気象要素に応じて修正される前の予測データに対応する。図１１の例では、現象データに対応するグラフ要素Ｇ５が四角柱で示されるが、その気象要素を表す図形（雲、台風等）で表わされてもよい。
【００７８】
図１２は、３次元グラフの元となる対象データ（予測データ）の生成に関する第３実施形態における支援装置１０の動作例を示すフローチャートである。工程（Ｓ１２１）から（Ｓ１２５）については、図７における工程（Ｓ７１）及び（Ｓ７５）と同様であるため、ここでは説明を省略する。
【００７９】
支援装置１０は、抽出されたソースデータ、及び、取得された測定データに基づいて、その測定データに対応する航空機の予測データを生成すると（Ｓ１２５）、その予測データと重なる現象データが現象データ格納部３２に格納されているか否かを判断する（Ｓ１２６）。予測データと重なる現象データが格納されている場合には（Ｓ１２６；ＹＥＳ）、支援装置１０は、現象データと重なる予測データ、及び、この予測データが示す時間以降の時間を持つ予測データを、現象データに基づいて修正する（Ｓ１２７）。ここでの、予測データの修正とは、測定データ、ソースデータ及び現象データに基づいて、予測データを生成することと同意である。
【００８０】
支援装置１０は、このように修正された予測データを予測データ格納部２５に格納する（Ｓ１２８）。一方、支援装置１０は、予測データと重なる現象データが格納されていない場合には（Ｓ１２６；ＮＯ）、その予測データをそのまま予測データ格納部２５に格納する（Ｓ１２８）。
【００８１】
支援装置１０は、測定データが取得されていない場合には（Ｓ１２３；ＮＯ）、現象データが取得されているか否かを更に判断する（Ｓ１３０）。即ち、支援装置１０は、測定データ及び現象データの少なくとも一方が取得されるまで待つ。
【００８２】
支援装置１０は、測定データが取得されておらず（Ｓ１２３；ＮＯ）、かつ、現象データが取得されている場合には（Ｓ１３０；ＹＥＳ）、取得された現象データと重なる予測データを予測データ格納部２５から抽出する（Ｓ１３１）。支援装置１０は、その抽出された予測データを現象データに基づいて上述のように修正し（Ｓ１２７）、修正された予測データを予測データ格納部２５に格納する（Ｓ１２８）。
【００８３】
〔第３実施形態の作用及び効果〕
第３実施形態では、任意の地理的領域に任意の期間生じる気象要素を示す複数の現象データが取得され、その気象要素に関し、基準時間（対象データに関し用いられる基準時間と同じ）からの差分時間とそれに対応する地理的領域との対応関係が、各航空機に関する情報に加えて、３次元グラフに更に表示される。これにより、ユーザは、各航空機便の航空路と、その航空路に影響を与え得る気象要素との位置関係及び時間関係を容易に把握することができる。このように、第３実施形態によれば、経時変化を伴うデータとしての、航空機のフライトスケジュールデータに加えて、航空機の航空路に影響を与え得る気象要素のデータを、直感的に分かり易く表示することができる。
【００８４】
更に、第３実施形態では、気象要素に対応する現象データと位置的及び時間的に重なるスケジュールを有する航空機については、その気象要素に応じて低下する飛行速度に基づいて、今後のフライトスケジュールが修正される。このように、第３実施形態によれば、近年の気象予報技術向上に伴う高精度な気象予報情報を加味して、各航空機便の今後の飛行状況を高精度でシミュレーションすることができる。
【００８５】
これにより、第２実施形態の変形例におけるＧＵＩを持つ描画データが生成されれば、気象要素を時間的又は地理的位置的に避けるようなフライトスケジュールを柔軟に作成することができる。
【００８６】
［第４実施形態］
第４実施形態では、各航空機便間及び航空機と気象要素との間における時間的及び位置的な接近度に応じて、グラフ要素の色が決められる。以下、第４実施形態における支援装置１０について、第１実施形態から第３実施形態と異なる内容を中心説明する。以下の説明では、第１実施形態から第３実施形態と同様の内容については適宜省略する。
【００８７】
図１３は、第４実施形態における支援装置１０の処理構成例を概念的に示す図である。第４実施形態における支援装置１０は、第３実施形態の構成に加えて、比較部４１を更に有する。比較部４１は、例えば、ＣＰＵ２によりメモリ３に格納されるプログラムが実行されることにより実現される。
【００８８】
比較部４１は、複数の差分対象データにおける或る差分時間の位置データと複数の差分現象データにおける或る差分時間の位置データとの間の距離、及び、複数の差分対象データにおける或る位置の差分時間と複数の差分現象データにおける或る位置の差分時間との時間差の少なくとも一方を算出する。更に、比較部４１は、或る１つの航空機に関する複数の差分対象データにおける或る差分時間の位置データと他の１つの航空機に関する複数の差分対象データにおける或る差分時間の位置データとの間の距離、及び、或る１つの航空機に関する複数の差分対象データにおける或る位置の差分時間と他の１つの航空機に関する複数の差分現象データにおける或る位置の差分時間との時間差の少なくとも一方を算出する。
【００８９】
描画データ生成部１４は、当該差分対象データの３次元座標データ間を結ぶ描画要素（グラフ要素）が、比較部４１により算出された距離及び時間差の少なくとも一方に応じて段階的に変色された、当該３次元グラフの描画データを生成する。更に、描画データ生成部１４は、或る１つの航空機及び他の１つの航空機の少なくとも一方に関する差分対象データの３次元座標データ間を結ぶ描画要素（グラフ要素）が、比較部４１により算出された距離及び時間差の少なくとも一方に応じて段階的に変色された、３次元グラフの描画データを生成する。なお、本実施形態は、当該描画要素の変色段階の幅及び数を制限しない。
【００９０】
図１４Ａ及び図１４Ｂは、第４実施形態において表示される３次元グラフの例をそれぞれ示す図である。図１４Ａの例によれば、気象要素に対応するグラフ要素Ｇ５と航空機のフライトスケジュールを示すグラフ要素Ｇ３との間の、時間的又は距離的近さに応じて、グラフ要素Ｇ３の色がグラデーション表示される。図１４Ａでは、航空機を示すグラフ要素Ｇ３において、気象要素を示すグラフ要素Ｇ５と重なる部分が濃い色で表わされ、グラフ要素Ｇ５から離れるにつれその色が段階的に薄くなっている。
【００９１】
また、図１４Ｂの例によれば、或る１つの航空機のフライトスケジュールを示すグラフ要素Ｇ３−１０と他の１つの航空機のフライトスケジュールを示すグラフ要素Ｇ３−１１との間の、時間的又は距離的近さに応じて、グラフ要素Ｇ３の色がグラデーション表示される。図１４Ｂでは、グラフ要素Ｇ３−１及びグラフ要素Ｇ３−２において、最も接近する部分（グラフ要素Ｇ２と接する部分）が最も濃い色で表わされ、相互に離れるにつれその色が段階的に薄くなっている。そのグラデーション表示は、例えば、リボン（グラフ要素Ｇ３、Ｇ３−１０、Ｇ３−１１などに相当）に垂らした色つきの液体がその垂らした箇所から距離に応じて徐々に染み込んでいくイメージをユーザに連想させることができ、これにより、接近度を直感的に伝えることができる。
【００９２】
〔第４実施形態の作用及び効果〕
第４実施形態では、気象要素を示す現象データと航空機のフライトスケジュールを示す対象データとの間の時間又は距離、及び、各航空機に関する対象データ間の時間又は距離が算出され、その近さ（接近度）に応じて変色された３次元グラフが表示される。従って、第４実施形態によれば、航空機間の接近度、航空機の特定気象要素への接近度を直感的に分かり易く表示することができる。
【００９３】
［変形例］
上述の各実施形態では、航空機の測定データや気象要素を示す現象データ等を用いて予測データが生成されたが、ユーザにより入力されたデータを用いて予測データが生成されるようにしてもよい。この場合、描画データ生成部１４は、３次元グラフのグラフ要素Ｇ３（図３等参照）を移動及び変形させるユーザ操作を可能とするＧＵＩ（Graphical User Interface）を持つ当該描画データを生成する。予測データ生成部２４は、そのＧＵＩを介して得られるデータを入力データとして取得し、その入力データに基づいて、予測データを生成する。
【００９４】
これにより、ユーザは、各航空機便の航空路及び速度等を、３次元グラフとして表示される今後の情報を参考にしながら、適宜シミュレーションすることができる。結果、揺れの少ないルート、燃費の良いルート、危険の少ないルート等のように、各航空機の航空路を自由に選択したいという航空会社の要求に応じることができると共に、このように自由な航空路を選択している各航空機の交通整理を航空管制官に容易に実施させることができる。
【００９５】
上述の各実施形態では、航空管制支援装置が例示されたが、上述の各実施形態における各構成は、時間の経過に応じて変化する位置データを扱う様々な技術分野に適用可能である。例えば、上述の各構成は、自家用車や商用車等の自動車、船舶等に搭載されるナビゲーションシステムにも適用可能である。この場合、例えば、計画データ取得部２１で取得されるソースデータとして、出発地から目的地までのタイムスケジュールデータ（航海路データ）が取得される。また、現象取得部３１で取得される現象データとして、交通渋滞、交通事故、工事等の特定事象を示すデータが取得される。
【００９６】
図１５は、上述の各実施形態における自動車のナビゲーションシステムへの適用例を示す図である。図１５の例では、出発点（東京）から目的地（名古屋）までの間における新東名高速道路を通るルートＧ１５−１と旧東名高速道路を通るルートＧ１５−２とが示されており、更に、新東名高速道路上の或る区間の或る時間帯に発生が予測される交通渋滞の差分現象データＧ１５−３が示されている。更に、新東名高速道路を通るルートがその交通渋滞Ｇ１５−３と重なっていることが示されている。結果、図１５の例によれば、新東名高速道路を通るルートＧ１５−１は、本来、旧東名高速道路を通るルートＧ１５−２よりも早く名古屋に着くはずであったところ、その交通渋滞Ｇ１５−３にはまることで、旧東名高速道路を通るルートＧ１５−２よりも遅く着いていることが示される。グラフ上では、ルートＧ１５−２が、目的地上において、ルートＧ１５−１よりも紙面下方に位置している。このように、上述の各実施形態によれば、自動車のナビゲーションシステムへ適用された場合、ユーザに、各ルートと到着時間との関係、並びに、各ルートと交通渋滞といった現象との関係を直感的に把握させることができる。
【００９７】
上述の各実施形態において表示される３次元グラフは、上述した各例に限定されない。図３等では、３次元グラフを形成する複数の３次元座標データは、隣接データ間を滑らかに繋ぐリボン状のグラフ要素Ｇ３により表わされているが、各座標点を球状のグラフ要素でそれぞれ示し、各座標点間は線分で結ばれるようにしてもよい。この場合には、図１４Ａ及び図１４Ｂでは、当該線分自体の色が制御されるようにすればよい。このように、上述の各実施形態では、各３次元座標データを示すグラフ要素を制限しない。
【００９８】
上述の説明で用いた複数のフローチャートでは、複数の工程が順番に記載されているが、本実施形態で実行される工程の実行順序は、その記載の順番に制限されない。本実施形態では、図示される工程の順番を内容的に支障のない範囲で変更することができる。また、上述の各実施形態及び各変形例は、内容が相反しない範囲で組み合わせることができる。
【００９９】
上記の各実施形態及び各変形例の一部又は全部は、以下の付記のようにも特定され得る。但し、各実施形態及び各変形例が以下の記載に限定されるものではない。
【０１００】
（付記１）
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
を備えるグラフ描画装置。
【０１０１】
（付記２）
前記差分算出部は、任意のタイミングで逐次到来する描画更新時において、前記基準時間を該描画更新時の時間に設定した後、前記各対象データの差分時間を逐次それぞれ算出し、
前記差分データ生成部は、前記差分算出部で逐次算出される前記各差分時間を用いて、前記複数の差分対象データを逐次生成し、
前記描画データ生成部は、前記差分データ生成部により生成される前記複数の差分対象データと前記描画更新時の時間に設定された前記基準時間とに基づいて、前記３次元グラフを変化させる描画データを生成する、
付記１に記載のグラフ描画装置。
【０１０２】
（付記３）
前記対象データ取得部により取得される前記複数の対象データの元となる、複数のソースデータを取得するソースデータ取得部と、
移動対象物の地理的位置を示す測定位置データ及び該測定位置データの測定時間に対応する測定時間データを取得する測定データ取得部と、
前記ソースデータ取得部により取得される前記複数のソースデータ、前記測定位置データ及び前記測定時間データを用いて、時間データ及び地理的位置を示す位置データをそれぞれ含む複数の予測データを生成する予測データ生成部と、
を更に備え、
前記対象データ取得部は、前記予測データ生成部により生成された複数の予測データを前記複数の対象データとして取得する、
付記１又は２に記載のグラフ描画装置。
【０１０３】
（付記４）
前記予測データ生成部は、前記複数のソースデータから少なくとも１つの速度を算出し、前記測定位置データ及び前記測定時間データを基準として、該少なくとも１つの速度が維持されるように、前記複数の予測データを生成する、
付記３に記載のグラフ描画装置。
【０１０４】
（付記５）
前記予測データ生成部は、前記測定位置データ及び前記測定時間データの履歴から速度を算出し、前記測定位置データ及び前記測定時間データを基準として、該速度が維持されるように、前記複数の予測データを生成する、
付記３に記載のグラフ描画装置。
【０１０５】
（付記６）
任意の地理的位置に任意の発生時間から任意の期間生じる特定現象を示し、該任意の期間内の時間を示す時間データ及び該特定現象の発生位置を示す位置データをそれぞれ含む複数の現象データを取得する現象取得部、
を更に備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成する、
付記１から５のいずれか１つに記載のグラフ描画装置。
【０１０６】
（付記７）
前記対象データ取得部により取得される前記複数の対象データの元となる、複数のソースデータを取得するソースデータ取得部と、
前記ソースデータ取得部により取得される前記複数のソースデータ及び前記現象取得部により取得される前記複数の現象データを用いて、時間データ及び地理的位置を示す位置データをそれぞれ含む複数の予測データを生成する予測データ生成部と、
を更に備え、
前記対象データ取得部は、前記予測データ生成部により生成される前記複数の予測データを前記複数の対象データとして取得する、
付記６に記載のグラフ描画装置。
【０１０７】
（付記８）
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出する比較部、
を更に備え、
前記描画データ生成部は、前記差分対象データの３次元座標データ間を結ぶ描画要素が、前記距離及び前記時間差の少なくとも一方に応じて段階的に変色された、前記３次元グラフの描画データを生成する、
付記６又は７に記載のグラフ描画装置。
【０１０８】
（付記９）
前記対象データ取得部は、第１移動対象物及び第２移動対象物の各々について、前記複数の対象データをそれぞれ取得し、
前記グラフ描画装置は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する比較部、
を更に備え、
前記描画データ生成部は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
付記６から８のいずれか１つに記載のグラフ描画装置。
【０１０９】
（付記１０）
少なくとも１つのコンピュータにより実行されるグラフ描画方法において、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成する、
ことを含むグラフ描画方法。
【０１１０】
（付記１１）
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、
付記１０に記載のグラフ描画方法。
【０１１１】
（付記１２）
前記複数の対象データの元となる、複数のソースデータを取得し、
移動対象物の地理的位置を示す測定位置データ及び該測定位置データの測定時間に対応する測定時間データを取得し、
前記複数のソースデータ、前記測定位置データ及び前記測定時間データを用いて、時間データ及び地理的位置を示す位置データをそれぞれ含む複数の予測データを生成する、
ことを更に含み、
前記対象データの取得は、前記複数の予測データを前記複数の対象データとして取得する、
付記１０又は１１に記載のグラフ描画方法。
【０１１２】
（付記１３）
前記予測データの生成は、
前記複数のソースデータから少なくとも１つの速度を算出することを含み、
前記測定位置データ及び前記測定時間データを基準として、該少なくとも１つの速度が維持されるように、前記複数の予測データを生成する、
付記１２に記載のグラフ描画方法。
【０１１３】
（付記１４）
前記予測データの生成は、
前記測定位置データ及び前記測定時間データの履歴から速度を算出することを含み、
前記測定位置データ及び前記測定時間データを基準として、該速度が維持されるように、前記複数の予測データを生成する、
付記１２に記載のグラフ描画方法。
【０１１４】
（付記１５）
任意の地理的位置に任意の発生時間から任意の期間生じる特定現象を示し、該任意の期間内の時間を示す時間データ及び該特定現象の発生位置を示す位置データをそれぞれ含む複数の現象データを取得する、
ことを更に含み、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、
付記１０から１４のいずれか１つに記載のグラフ描画方法。
【０１１５】
（付記１６）
前記複数の対象データの元となる、複数のソースデータを取得し、
前記複数のソースデータ及び前記複数の現象データを用いて、時間データ及び地理的位置を示す位置データをそれぞれ含む複数の予測データを生成する、
ことを更に含み、
前記対象データの取得は、前記複数の予測データを前記複数の対象データとして取得する、
付記１５に記載のグラフ描画方法。
【０１１６】
（付記１７）
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出する、
ことを更に含み、
前記描画データの生成は、前記差分対象データの３次元座標データ間を結ぶ描画要素が、前記距離及び前記時間差の少なくとも一方に応じて段階的に変色された、前記３次元グラフの描画データを生成する、
付記１５又は１６に記載のグラフ描画方法。
【０１１７】
（付記１８）
前記対象データの取得は、第１移動対象物及び第２移動対象物の各々について、前記複数の対象データをそれぞれ取得し、
前記グラフ描画方法は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する、
ことを更に含み、
前記描画データの生成は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
付記１５から１７のいずれか１つに記載のグラフ描画方法。
【０１１８】
（付記１９）
付記１０から１８のいずれか１つに記載のグラフ描画方法を少なくとも１つのコンピュータに実行させるプログラム。
【０１１９】
（付記２０）付記１９に記載のプログラムを記録したコンピュータが読み取り可能な記録媒体。
【０１２０】
この出願は、２０１２年８月１４日に出願された日本特許出願特願２０１２−１７９６９８を基礎とする優先権を主張し、その開示の全てをここに取り込む。
【図１】
2014027432.tif 000003
【図２】
2014027432.tif 000004
【図３】
2014027432.tif 000005
【図４】
2014027432.tif 000006
【図５】
2014027432.tif 000007
【図６】
2014027432.tif 000008
【図７】
2014027432.tif 000009
【図８】
2014027432.tif 000010
【図９】
2014027432.tif 000011
【図１０】
2014027432.tif 000012
【図１１】
2014027432.tif 000013
【図１２】
2014027432.tif 000014
【図１３】
2014027432.tif 000015
【図１４Ａ】
2014027432.tif 000016
【図１４Ｂ】
2014027432.tif 000017
【図１５】
2014027432.tif 000018
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
を備え、
前記差分算出部は、任意のタイミングで逐次到来する描画更新時において、前記基準時間を該描画更新時の時間に設定した後、前記各対象データの差分時間を逐次それぞれ算出し、
前記差分データ生成部は、前記差分算出部で逐次算出される前記各差分時間を用いて、前記複数の差分対象データを逐次生成し、
前記描画データ生成部は、前記差分データ生成部により生成される前記複数の差分対象データと前記描画更新時の時間に設定された前記基準時間とに基づいて、前記３次元グラフを変化させる描画データを生成する、グラフ描画装置。
【請求項２】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
任意の地理的位置に任意の発生時間から任意の期間生じる気象現象を示し、該任意の期間内の時間を示す時間データ及び該気象現象の発生位置を示す位置データをそれぞれ含む複数の現象データを取得する現象取得部と、を備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成する、グラフ描画装置。
【請求項３】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得する現象取得部と、を備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成する、グラフ描画装置。
【請求項４】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
任意の地理的位置に任意の発生時間から任意の期間生じる特定現象を示し、該任意の期間内の時間を示す時間データ及び該特定現象の発生位置を示す位置データをそれぞれ含む複数の現象データを取得する現象取得部と、を備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成し、
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出する比較部を更に備え、
前記描画データ生成部は、前記差分対象データの３次元座標データ間を結ぶ描画要素が、前記距離及び前記時間差の少なくとも一方に応じて段階的に変色された、前記３次元グラフの描画データを生成する、グラフ描画装置。
【請求項５】
前記差分算出部は、任意のタイミングで逐次到来する描画更新時において、前記基準時間を該描画更新時の時間に設定した後、前記各対象データの差分時間を逐次それぞれ算出し、
前記差分データ生成部は、前記差分算出部で逐次算出される前記各差分時間を用いて、前記複数の差分対象データを逐次生成し、
前記描画データ生成部は、前記差分データ生成部により生成される前記複数の差分対象データと前記描画更新時の時間に設定された前記基準時間とに基づいて、前記３次元グラフを変化させる描画データを生成する、
請求項２から４のいずれか１項に記載のグラフ描画装置。
【請求項６】
前記対象データ取得部により取得される前記複数の対象データの元となる、複数のソースデータを取得するソースデータ取得部と、
移動対象物の地理的位置を示す測定位置データ及び該測定位置データの測定時間に対応する測定時間データを取得する測定データ取得部と、
前記ソースデータ取得部により取得される前記複数のソースデータ、前記測定位置データ及び前記測定時間データを用いて、時間データ及び地理的位置を示す位置データをそれぞれ含む複数の予測データを生成する予測データ生成部と、
を更に備え、
前記対象データ取得部は、前記予測データ生成部により生成された複数の予測データを前記複数の対象データとして取得する、
請求項１から５のいずれか１項に記載のグラフ描画装置。
【請求項７】
前記予測データ生成部は、前記複数のソースデータから少なくとも１つの速度を算出し、前記測定位置データ及び前記測定時間データを基準として、該少なくとも１つの速度が維持されるように、前記複数の予測データを生成する、
請求項６に記載のグラフ描画装置。
【請求項８】
前記予測データ生成部は、前記測定位置データ及び前記測定時間データの履歴から速度を算出し、前記測定位置データ及び前記測定時間データを基準として、該速度が維持されるように、前記複数の予測データを生成する、
請求項６に記載のグラフ描画装置。
【請求項９】
前記対象データ取得部により取得される前記複数の対象データの元となる、複数のソースデータを取得するソースデータ取得部と、
前記ソースデータ取得部により取得される前記複数のソースデータ及び前記現象取得部により取得される前記複数の現象データを用いて、時間データ及び地理的位置を示す位置データをそれぞれ含む複数の予測データを生成する予測データ生成部と、
を更に備え、
前記対象データ取得部は、前記予測データ生成部により生成される前記複数の予測データを前記複数の対象データとして取得する、
請求項２から４のいずれか１項に記載のグラフ描画装置。
【請求項１０】
前記対象データ取得部は、第１移動対象物及び第２移動対象物の各々について、前記複数の対象データをそれぞれ取得し、
前記グラフ描画装置は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する比較部、
を更に備え、
前記描画データ生成部は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
請求項２から４及び９のいずれか１項に記載のグラフ描画装置。
【請求項１１】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、グラフ描画方法。
【請求項１２】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる気象現象を示し、該任意の期間内の時間を示す時間データ及び該気象現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、グラフ描画方法。
【請求項１３】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、グラフ描画方法。
【請求項１４】
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成し、
任意の地理的位置に任意の発生時間から任意の期間生じる特定現象を示し、該任意の期間内の時間を示す時間データ及び該特定現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成し、
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出し、
前記描画データの生成は、前記差分対象データの３次元座標データ間を結ぶ描画要素が、前記距離及び前記時間差の少なくとも一方に応じて段階的に変色された、前記３次元グラフの描画データを生成する、グラフ描画方法。
【請求項１５】
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、
請求項１２から１４のいずれか１項に記載のグラフ描画方法。
【請求項１６】
前記複数の対象データの元となる、複数のソースデータを取得し、
移動対象物の地理的位置を示す測定位置データ及び該測定位置データの測定時間に対応する測定時間データを取得し、
前記複数のソースデータ、前記測定位置データ及び前記測定時間データを用いて、時間データ及び地理的位置を示す位置データをそれぞれ含む複数の予測データを生成する、
ことを更に含み、
前記対象データの取得は、前記複数の予測データを前記複数の対象データとして取得する、
請求項１１から１５のいずれか１項に記載のグラフ描画方法。
【請求項１７】
前記予測データの生成は、
前記複数のソースデータから少なくとも１つの速度を算出することを含み、
前記測定位置データ及び前記測定時間データを基準として、該少なくとも１つの速度が維持されるように、前記複数の予測データを生成する、
請求項１６に記載のグラフ描画方法。
【請求項１８】
前記予測データの生成は、
前記測定位置データ及び前記測定時間データの履歴から速度を算出することを含み、
前記測定位置データ及び前記測定時間データを基準として、該速度が維持されるように、前記複数の予測データを生成する、
請求項１６に記載のグラフ描画方法。
【請求項１９】
前記複数の対象データの元となる、複数のソースデータを取得し、
前記複数のソースデータ及び前記複数の現象データを用いて、時間データ及び地理的位置を示す位置データをそれぞれ含む複数の予測データを生成する、
ことを更に含み、
前記対象データの取得は、前記複数の予測データを前記複数の対象データとして取得する、
請求項１２から１４のいずれか１項に記載のグラフ描画方法。
【請求項２０】
前記対象データの取得は、第１移動対象物及び第２移動対象物の各々について、前記複数の対象データをそれぞれ取得し、
前記グラフ描画方法は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する、
ことを更に含み、
前記描画データの生成は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
請求項１２から１４及び１９のいずれか１項に記載のグラフ描画方法。
【請求項２１】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、
ことを含むプログラム。
【請求項２２】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる気象現象を示し、該任意の期間内の時間を示す時間データ及び該気象現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、
ことを含むプログラム。
【請求項２３】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、
ことを含むプログラム。
【請求項２４】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる特定現象を示し、該任意の期間内の時間を示す時間データ及び該特定現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成し、
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出し、
前記描画データの生成は、前記差分対象データの３次元座標データ間を結ぶ描画要素が、前記距離及び前記時間差の少なくとも一方に応じて段階的に変色された、前記３次元グラフの描画データを生成する、
ことを含むプログラム。
【手続補正２】
【補正対象書類名】明細書
【補正対象項目名】０００８
【補正方法】変更
【補正の内容】
【０００８】
第１の態様に係るグラフ描画装置は、時間データと時間以外の特定２次元における２次元データとをそれぞれ含む複数の対象データを取得する対象データ取得部と、対象データ取得部により取得される各対象データに関し、時間データと基準時間との差分時間をそれぞれ算出する差分算出部と、各対象データに含まれる時間データが差分算出部により算出される各差分時間にそれぞれ置き換えられた複数の差分対象データを生成する差分データ生成部と、差分データ生成部により生成される各差分対象データを、時間軸と上記特定２次元の座標平面とから形成される３次元座標系における各３次元座標データにそれぞれ変換し、変換された複数の３次元座標データを表す３次元グラフの描画データを生成する描画データ生成部と、を有し、差分算出部は、任意のタイミングで逐次到来する描画更新時において、基準時間を該描画更新時の時間に設定した後、各対象データの差分時間を逐次それぞれ算出し、差分データ生成部は、差分算出部で逐次算出される各差分時間を用いて、複数の差分対象データを逐次生成し、描画データ生成部は、差分データ生成部により生成される複数の差分対象データと描画更新時の時間に設定された基準時間とに基づいて、３次元グラフを変化させる描画データを生成する。
第２の態様に係るグラフ描画装置は、時間データと時間以外の特定２次元における２次元データとをそれぞれ含む複数の対象データを取得する対象データ取得部と、対象データ取得部により取得される各対象データに関し、時間データと基準時間との差分時間をそれぞれ算出する差分算出部と、各対象データに含まれる時間データが差分算出部により算出される各差分時間にそれぞれ置き換えられた複数の差分対象データを生成する差分データ生成部と、差分データ生成部により生成される各差分対象データを、時間軸と上記特定２次元の座標平面とから形成される３次元座標系における各３次元座標データにそれぞれ変換し、変換された複数の３次元座標データを表す３次元グラフの描画データを生成する描画データ生成部と、任意の地理的位置に任意の発生時間から任意の期間生じる気象現象を示し、該任意の期間内の時間を示す時間データ及び該気象現象の発生位置を示す位置データをそれぞれ含む複数の現象データを取得する現象取得部と、を有し、差分算出部は、各現象データに関し、時間データと基準時間との差分時間をそれぞれ更に算出し、差分データ生成部は、各現象データに含まれる時間データが差分算出部により算出される各差分時間にそれぞれ置き換えられた複数の差分現象データを更に生成し、描画データ生成部は、各差分現象データを３次元座標系における各３次元座標データにそれぞれ変換し、複数の差分現象データが変換された複数の３次元座標データを更に表す３次元グラフの描画データを生成する。
第３の態様に係るグラフ描画装置は、時間データと時間以外の特定２次元における２次元データとをそれぞれ含む複数の対象データを取得する対象データ取得部と、対象データ取得部により取得される各対象データに関し、時間データと基準時間との差分時間をそれぞれ算出する差分算出部と、各対象データに含まれる時間データが差分算出部により算出される各差分時間にそれぞれ置き換えられた複数の差分対象データを生成する差分データ生成部と、差分データ生成部により生成される各差分対象データを、時間軸と上記特定２次元の座標平面とから形成される３次元座標系における各３次元座標データにそれぞれ変換し、変換された複数の３次元座標データを表す３次元グラフの描画データを生成する描画データ生成部と、任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得する現象取得部と、を有し、差分算出部は、各現象データに関し、時間データと基準時間との差分時間をそれぞれ更に算出し、差分データ生成部は、各現象データに含まれる時間データが差分算出部により算出される各差分時間にそれぞれ置き換えられた複数の差分現象データを更に生成し、描画データ生成部は、各差分現象データを３次元座標系における各３次元座標データにそれぞれ変換し、複数の差分現象データが変換された複数の３次元座標データを更に表す３次元グラフの描画データを生成する。
第４の態様に係るグラフ描画装置は、時間データと時間以外の特定２次元における２次元データとをそれぞれ含む複数の対象データを取得する対象データ取得部と、対象データ取得部により取得される各対象データに関し、時間データと基準時間との差分時間をそれぞれ算出する差分算出部と、各対象データに含まれる時間データが差分算出部により算出される各差分時間にそれぞれ置き換えられた複数の差分対象データを生成する差分データ生成部と、差分データ生成部により生成される各差分対象データを、時間軸と上記特定２次元の座標平面とから形成される３次元座標系における各３次元座標データにそれぞれ変換し、変換された複数の３次元座標データを表す３次元グラフの描画データを生成する描画データ生成部と、任意の地理的位置に任意の発生時間から任意の期間生じる特定現象を示し、該任意の期間内の時間を示す時間データ及び該特定現象の発生位置を示す位置データをそれぞれ含む複数の現象データを取得する現象取得部と、を有し、差分算出部は、各現象データに関し、時間データと基準時間との差分時間をそれぞれ更に算出し、差分データ生成部は、各現象データに含まれる時間データが差分算出部により算出される各差分時間にそれぞれ置き換えられた複数の差分現象データを更に生成し、描画データ生成部は、各差分現象データを３次元座標系における各３次元座標データにそれぞれ変換し、複数の差分現象データが変換された複数の３次元座標データを更に表す３次元グラフの描画データを生成し、複数の差分対象データにおける或る差分時間の位置データと複数の差分現象データにおける或る差分時間の位置データとの間の距離、及び、複数の差分対象データにおける或る位置の差分時間と複数の差分現象データにおける或る位置の差分時間との時間差の少なくとも一方を算出する比較部を更に備え、描画データ生成部は、差分対象データの３次元座標データ間を結ぶ描画要素が、距離及び時間差の少なくとも一方に応じて段階的に変色された、３次元グラフの描画データを生成する、グラフ描画装置。
【手続補正３】
【補正対象書類名】明細書
【補正対象項目名】０００９
【補正方法】変更
【補正の内容】
【０００９】
第５の態様に係るグラフ描画方法は、時間データと時間以外の特定２次元における２次元データとをそれぞれ含む複数の対象データを取得し、各対象データに関し、時間データと基準時間との差分時間をそれぞれ算出し、各対象データに含まれる時間データが各差分時間にそれぞれ置き換えられた複数の差分対象データを生成し、各差分対象データを、時間軸と上記特定２次元の座標平面とから形成される３次元座標系における各３次元座標データにそれぞれ変換し、変換された複数の３次元座標データを表す３次元グラフの描画データを生成し、差分時間の算出は、任意のタイミングで逐次到来する各描画更新時において、基準時間を該各描画更新時の時間に設定した後、各対象データの差分時間を逐次それぞれ算出し、差分対象データの生成は、逐次算出される各差分時間を用いて、複数の差分対象データを逐次生成し、描画データの生成は、生成される複数の差分対象データと描画更新時の時間に設定された基準時間とに基づいて、３次元グラフを変化させる描画データを生成する、ことを含む。
第６の態様に係るグラフ描画方法は、時間データと時間以外の特定２次元における２次元データとをそれぞれ含む複数の対象データを取得し、各対象データに関し、時間データと基準時間との差分時間をそれぞれ算出し、各対象データに含まれる時間データが各差分時間にそれぞれ置き換えられた複数の差分対象データを生成し、各差分対象データを、時間軸と上記特定２次元の座標平面とから形成される３次元座標系における各３次元座標データにそれぞれ変換し、変換された複数の３次元座標データを表す３次元グラフの描画データを生成し、任意の地理的位置に任意の発生時間から任意の期間生じる気象現象を示し、該任意の期間内の時間を示す時間データ及び該気象現象の発生位置を示す位置データをそれぞれ含む複数の現象データを取得し、差分時間の算出は、各現象データに関し、時間データと基準時間との差分時間をそれぞれ算出することを含み、差分対象データの生成は、各現象データに含まれる時間データが各差分時間にそれぞれ置き換えられた複数の差分現象データを生成することを含み、描画データの生成は、各差分現象データを３次元座標系における各３次元座標データにそれぞれ変換することを含み、複数の差分現象データが変換された複数の３次元座標データを更に表す３次元グラフの描画データを生成する、ことを含む。
第７の態様に係るグラフ描画方法は、時間データと時間以外の特定２次元における２次元データとをそれぞれ含む複数の対象データを取得し、各対象データに関し、時間データと基準時間との差分時間をそれぞれ算出し、各対象データに含まれる時間データが各差分時間にそれぞれ置き換えられた複数の差分対象データを生成し、各差分対象データを、時間軸と上記特定２次元の座標平面とから形成される３次元座標系における各３次元座標データにそれぞれ変換し、変換された複数の３次元座標データを表す３次元グラフの描画データを生成し、任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得し、差分時間の算出は、各現象データに関し、時間データと基準時間との差分時間をそれぞれ算出することを含み、
差分対象データの生成は、各現象データに含まれる時間データが各差分時間にそれぞれ置き換えられた複数の差分現象データを生成することを含み、描画データの生成は、各差分現象データを３次元座標系における各３次元座標データにそれぞれ変換することを含み、複数の差分現象データが変換された複数の３次元座標データを更に表す３次元グラフの描画データを生成する、ことを含む。
第８の態様に係るグラフ描画方法は、時間データと時間以外の特定２次元における２次元データとをそれぞれ含む複数の対象データを取得し、各対象データに関し、時間データと基準時間との差分時間をそれぞれ算出し、各対象データに含まれる時間データが各差分時間にそれぞれ置き換えられた複数の差分対象データを生成し、各差分対象データを、時間軸と上記特定２次元の座標平面とから形成される３次元座標系における各３次元座標データにそれぞれ変換し、変換された複数の３次元座標データを表す３次元グラフの描画データを生成し、任意の地理的位置に任意の発生時間から任意の期間生じる特定現象を示し、該任意の期間内の時間を示す時間データ及び該特定現象の発生位置を示す位置データをそれぞれ含む複数の現象データを取得し、差分時間の算出は、各現象データに関し、時間データと基準時間との差分時間をそれぞれ算出することを含み、差分対象データの生成は、各現象データに含まれる時間データが各差分時間にそれぞれ置き換えられた複数の差分現象データを生成することを含み、描画データの生成は、各差分現象データを３次元座標系における各３次元座標データにそれぞれ変換することを含み、複数の差分現象データが変換された複数の３次元座標データを更に表す３次元グラフの描画データを生成し、複数の差分対象データにおける或る差分時間の位置データと複数の差分現象データにおける或る差分時間の位置データとの間の距離、及び、複数の差分対象データにおける或る位置の差分時間と複数の差分現象データにおける或る位置の差分時間との時間差の少なくとも一方を算出し、描画データの生成は、差分対象データの３次元座標データ間を結ぶ描画要素が、距離及び時間差の少なくとも一方に応じて段階的に変色された、３次元グラフの描画データを生成する、ことを含む。
【手続補正４】
【補正対象書類名】明細書
【補正対象項目名】００１０
【補正方法】変更
【補正の内容】
【００１０】
本開示の他の態様としては、第１から第４のいずれかの態様における各構成をコンピュータに実現させるプログラムであってもよいし、このようなプログラムを記録したコンピュータが読み取り可能な記録媒体であってもよい。この記録媒体は、非一時的な有形の媒体を含む。
【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
を備え、
前記差分算出部は、任意のタイミングで逐次到来する描画更新時において、前記基準時間を該描画更新時の時間に設定した後、前記各対象データの差分時間を逐次それぞれ算出し、
前記差分データ生成部は、前記差分算出部で逐次算出される前記各差分時間を用いて、前記複数の差分対象データを逐次生成し、
前記描画データ生成部は、前記差分データ生成部により生成される前記複数の差分対象データと前記描画更新時の時間に設定された前記基準時間とに基づいて、前記３次元グラフを変化させる描画データを生成する、グラフ描画装置。
【請求項２】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
任意の地理的位置に任意の発生時間から任意の期間生じる気象現象を示し、該任意の期間内の時間を示す時間データ及び該気象現象の発生位置を示す位置データをそれぞれ含む複数の現象データを取得する現象取得部と、を備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成する、グラフ描画装置。
【請求項３】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得する現象取得部と、を備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成する、グラフ描画装置。
【請求項４】
時間データと時間以外の特定２次元における２次元データとをそれぞれ含む複数の対象データを取得する対象データ取得部と、
前記対象データ取得部により取得される前記各対象データに関し、前記時間データと基準時間との差分時間をそれぞれ算出する差分算出部と、
前記各対象データに含まれる時間データが前記差分算出部により算出される各差分時間にそれぞれ置き換えられた複数の差分対象データを生成する差分データ生成部と、
前記差分データ生成部により生成される前記各差分対象データを、時間軸と前記特定２次元の座標平面とから形成される３次元座標系における各３次元座標データにそれぞれ変換し、変換された複数の３次元座標データを表す３次元グラフの描画データを生成する描画データ生成部と、
任意の地理的位置に任意の発生時間から任意の期間生じる特定現象を示し、該任意の期間内の時間を示す時間データ及び該特定現象の発生位置を示す位置データをそれぞれ含む複数の現象データを取得する現象取得部と、を備え、
前記差分算出部は、前記各現象データに関し、前記時間データと前記基準時間との差分時間をそれぞれ更に算出し、
前記差分データ生成部は、前記各現象データに含まれる時間データが前記差分算出部により算出される各差分時間にそれぞれ置き換えられた複数の差分現象データを更に生成し、
前記描画データ生成部は、前記各差分現象データを前記３次元座標系における各３次元座標データにそれぞれ変換し、前記複数の差分現象データが変換された複数の３次元座標データを更に表す前記３次元グラフの描画データを生成し、
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出する比較部を更に備え、
前記描画データ生成部は、前記差分対象データの３次元座標データ間を結ぶ描画要素が、前記距離及び前記時間差の少なくとも一方に応じて段階的に変色された、前記３次元グラフの描画データを生成する、グラフ描画装置。
【請求項５】
前記差分算出部は、任意のタイミングで逐次到来する描画更新時において、前記基準時間を該描画更新時の時間に設定した後、前記各対象データの差分時間を逐次それぞれ算出し、
前記差分データ生成部は、前記差分算出部で逐次算出される前記各差分時間を用いて、前記複数の差分対象データを逐次生成し、
前記描画データ生成部は、前記差分データ生成部により生成される前記複数の差分対象データと前記描画更新時の時間に設定された前記基準時間とに基づいて、前記３次元グラフを変化させる描画データを生成する、
請求項２から４のいずれか１項に記載のグラフ描画装置。
【請求項６】
前記対象データ取得部により取得される前記複数の対象データの元となる、複数のソースデータを取得するソースデータ取得部と、
移動対象物の地理的位置を示す測定位置データ及び該測定位置データの測定時間に対応する測定時間データを取得する測定データ取得部と、
前記ソースデータ取得部により取得される前記複数のソースデータ、前記測定位置データ及び前記測定時間データを用いて、時間データ及び地理的位置を示す位置データをそれぞれ含む複数の予測データを生成する予測データ生成部と、
を更に備え、
前記対象データ取得部は、前記予測データ生成部により生成された複数の予測データを前記複数の対象データとして取得する、
請求項１から５のいずれか１項に記載のグラフ描画装置。
【請求項７】
前記予測データ生成部は、前記複数のソースデータから少なくとも１つの速度を算出し、前記測定位置データ及び前記測定時間データを基準として、該少なくとも１つの速度が維持されるように、前記複数の予測データを生成する、
請求項６に記載のグラフ描画装置。
【請求項８】
前記予測データ生成部は、前記測定位置データ及び前記測定時間データの履歴から速度を算出し、前記測定位置データ及び前記測定時間データを基準として、該速度が維持されるように、前記複数の予測データを生成する、
請求項６に記載のグラフ描画装置。
【請求項９】
前記対象データ取得部により取得される前記複数の対象データの元となる、複数のソースデータを取得するソースデータ取得部と、
前記ソースデータ取得部により取得される前記複数のソースデータ及び前記現象取得部により取得される前記複数の現象データを用いて、時間データ及び地理的位置を示す位置データをそれぞれ含む複数の予測データを生成する予測データ生成部と、
を更に備え、
前記対象データ取得部は、前記予測データ生成部により生成される前記複数の予測データを前記複数の対象データとして取得する、
請求項２から４のいずれか１項に記載のグラフ描画装置。
【請求項１０】
前記対象データ取得部は、第１移動対象物及び第２移動対象物の各々について、前記複数の対象データをそれぞれ取得し、
前記グラフ描画装置は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する比較部、
を更に備え、
前記描画データ生成部は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
請求項２から４及び９のいずれか１項に記載のグラフ描画装置。
【請求項１１】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、グラフ描画方法。
【請求項１２】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる気象現象を示し、該任意の期間内の時間を示す時間データ及び該気象現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、グラフ描画方法。
【請求項１３】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、グラフ描画方法。
【請求項１４】
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる特定現象を示し、該任意の期間内の時間を示す時間データ及び該特定現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成し、
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出し、
前記描画データの生成は、前記差分対象データの３次元座標データ間を結ぶ描画要素が、前記距離及び前記時間差の少なくとも一方に応じて段階的に変色された、前記３次元グラフの描画データを生成する、グラフ描画方法。
【請求項１５】
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、
請求項１２から１４のいずれか１項に記載のグラフ描画方法。
【請求項１６】
前記複数の対象データの元となる、複数のソースデータを取得し、
移動対象物の地理的位置を示す測定位置データ及び該測定位置データの測定時間に対応する測定時間データを取得し、
前記複数のソースデータ、前記測定位置データ及び前記測定時間データを用いて、時間データ及び地理的位置を示す位置データをそれぞれ含む複数の予測データを生成する、
ことを更に含み、
前記対象データの取得は、前記複数の予測データを前記複数の対象データとして取得する、
請求項１１から１５のいずれか１項に記載のグラフ描画方法。
【請求項１７】
前記予測データの生成は、
前記複数のソースデータから少なくとも１つの速度を算出することを含み、
前記測定位置データ及び前記測定時間データを基準として、該少なくとも１つの速度が維持されるように、前記複数の予測データを生成する、
請求項１６に記載のグラフ描画方法。
【請求項１８】
前記予測データの生成は、
前記測定位置データ及び前記測定時間データの履歴から速度を算出することを含み、
前記測定位置データ及び前記測定時間データを基準として、該速度が維持されるように、前記複数の予測データを生成する、
請求項１６に記載のグラフ描画方法。
【請求項１９】
前記複数の対象データの元となる、複数のソースデータを取得し、
前記複数のソースデータ及び前記複数の現象データを用いて、時間データ及び地理的位置を示す位置データをそれぞれ含む複数の予測データを生成する、
ことを更に含み、
前記対象データの取得は、前記複数の予測データを前記複数の対象データとして取得する、
請求項１２から１４のいずれか１項に記載のグラフ描画方法。
【請求項２０】
前記対象データの取得は、第１移動対象物及び第２移動対象物の各々について、前記複数の対象データをそれぞれ取得し、
前記グラフ描画方法は、
前記第１移動対象物の前記複数の差分対象データにおける或る差分時間の位置データと前記第２移動対象物の前記複数の差分対象データにおける或る差分時間の位置データとの間の距離、及び、前記第１移動対象物の前記複数の差分対象データにおける或る位置の差分時間と前記第２移動対象物の前記複数の差分現象データにおける或る位置の差分時間との時間差の少なくとも一方を算出する、
ことを更に含み、
前記描画データの生成は、前記第１移動対象物及び前記第２移動対象物の少なくとも一方の差分対象データの３次元座標データ間を結ぶ描画要素が、前記距離及び前記時間差の少なくとも一方に応じて段階的に変色された、前記３次元グラフの描画データを生成する、
請求項１２から１４及び１９のいずれか１項に記載のグラフ描画方法。
【請求項２１】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
前記差分時間の算出は、任意のタイミングで逐次到来する各描画更新時において、前記基準時間を該各描画更新時の時間に設定した後、前記各対象データの差分時間を逐次それぞれ算出し、
前記差分対象データの生成は、逐次算出される前記各差分時間を用いて、前記複数の差分対象データを逐次生成し、
前記描画データの生成は、生成される前記複数の差分対象データと前記描画更新時の時間に設定された前記基準時間とに基づいて、前記３次元グラフを変化させる描画データを生成する、
ことを含むプログラム。
【請求項２２】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる気象現象を示し、該任意の期間内の時間を示す時間データ及び該気象現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、
ことを含むプログラム。
【請求項２３】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる交通渋滞を示し、該任意の期間内の時間を示す時間データ及び該交通渋滞の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成する、
ことを含むプログラム。
【請求項２４】
少なくとも１つのコンピュータにグラフ描画方法を実行させるプログラムにおいて、
前記グラフ描画方法が、
時間データと時間以外の特定２次元における２次元データとをそれぞれ含む複数の対象データを取得し、
前記各対象データに関し、前記時間データと基準時間との差分時間をそれぞれ算出し、
前記各対象データに含まれる時間データが前記各差分時間にそれぞれ置き換えられた複数の差分対象データを生成し、
前記各差分対象データを、時間軸と前記特定２次元の座標平面とから形成される３次元座標系における各３次元座標データにそれぞれ変換し、
前記変換された複数の３次元座標データを表す３次元グラフの描画データを生成し、
任意の地理的位置に任意の発生時間から任意の期間生じる特定現象を示し、該任意の期間内の時間を示す時間データ及び該特定現象の発生位置を示す位置データをそれぞれ含む複数の現象データを取得し、
前記差分時間の算出は、前記各現象データに関し、前記時間データと前記基準時間との差分時間をそれぞれ算出することを含み、
前記差分対象データの生成は、前記各現象データに含まれる時間データが前記各差分時間にそれぞれ置き換えられた複数の差分現象データを生成することを含み、
前記描画データの生成は、前記各差分現象データを前記３次元座標系における各３次元座標データにそれぞれ変換することを含み、前記複数の差分現象データが変換された複数の３次元座標データを更に表す前記３次元グラフの描画データを生成し、
前記複数の差分対象データにおける或る差分時間の位置データと前記複数の差分現象データにおける或る差分時間の位置データとの間の距離、及び、前記複数の差分対象データにおける或る位置の差分時間と前記複数の差分現象データにおける或る位置の差分時間との時間差の少なくとも一方を算出し、
前記描画データの生成は、前記差分対象データの３次元座標データ間を結ぶ描画要素が、前記距離及び前記時間差の少なくとも一方に応じて段階的に変色された、前記３次元グラフの描画データを生成する、
ことを含むプログラム。
【国際調査報告】
2014027432.tif 000019
2014027432.tif 000020
2014027432.tif 000021
2014027432.tif 000022